(57)【要約】【課題】対象物を吊る際の作業時間の増大を抑制することが可能な吊り具システムを提供することを目的とする。【解決手段】吊り具システム１は、長手方向に延在する対象物２を吊すための吊り具システムである。吊り具システム１は、対象物２を周回するように巻き付けられ、長手方向Ｘに離間する一対のリング部材３と、リング部材３の側部に当接可能な側壁を含み、対象物２の長手方向Ｘにおける位置を拘束可能なガイド部４と、を含む。【選択図】図２
2019189400.tif 000002
【特許請求の範囲】
【請求項１】
長手方向に延在する対象物を吊すための吊り具システムであって、
前記対象物を周回するように巻き付けられ、前記長手方向に離間する一対のリング部材と、
前記対象物に設けられ前記リング部材に当接可能な側壁を含み、前記リング部材の前記長手方向の位置を拘束可能なガイド部と、を含む吊り具システム。
【請求項２】
前記対象物の上側で前記リング部材に係合する係合部材を更に備える請求項１に記載の吊り具システム。
【請求項３】
前記対象物の上側に設けられ、前記リング部材に係合する係合部材を収容可能であり、前記対象物の内側に凹む係合部材収容部を更に備える請求項１又は２に記載の吊り具システム。
【請求項４】
前記ガイド部は、前記対象物の外側に向かって突出する突出部を含み、
前記側壁は、前記突出部の側壁である請求項１〜３の何れか一項に記載の吊り具システム。
【請求項５】
前記ガイド部は、前記対象物の内側に凹むガイド溝を含み、
前記側壁は、前記ガイド溝の側壁である請求項１〜４の何れか一項に記載の吊り具システム。
【請求項６】
前記ガイド部は、前記リング部材の一部を覆うカバー部を含む請求項１〜５の何れか一項に記載の吊り具システム。
【発明の詳細な説明】
【技術分野】
【０００１】
本開示は、吊り具システムに関する。
【背景技術】
【０００２】
従来、対象物を吊り上げる際に使用される治具が知られている（例えば、特許文献１参照）。特許文献１に記載の半円形状の治具は、円筒体である対象物に対して、径方向の両側から装着される。治具は円筒体の全周に連続するように配置される。例えば、所定の長さを有する対象物は、その長手方向が水平方向に沿うように横置きされている。特許文献１の治具を用いて対象物を吊り上げる場合には、長手方向が上下方向に沿うように対象物の姿勢を変更させながら吊り上げていた。
【先行技術文献】
【特許文献】
【０００３】
【特許文献１】実公平７−２０１４０号公報
【発明の概要】
【発明が解決しようとする課題】
【０００４】
所定の長さを有する対象物を横置きのまま吊り上げるには、対象物の長手方向に離間する複数の支持点において、リング状の部材を対象物に装着することが求められる。本開示は、対象物を吊る際の作業時間の増大を抑制することが可能な吊り具システムを提供することを目的とする。
【課題を解決するための手段】
【０００５】
本開示の吊り具システムは、長手方向に延在する対象物を吊すための吊り具システムであって、対象物を周回するように巻き付けられ、長手方向に離間する一対のリング部材と、リング部材に当接可能な側壁を含み、リング部材の長手方向の位置を拘束可能なガイド部と、を含む。
【０００６】
この吊り具システムでは、一対のリング部材に対してワイヤー等を連結して、このワイヤーをクレーン（重機）のフックに引っ掛けて、対象物を吊ることができる。吊り具システムでは、一対のリング部材を対象物の長手方向に離間して配置して、対象物に装着するので、対象物の長手方向が水平方向となる状態で対象物を吊ることができる。また、対象物にガイド部が設けられているので、このガイド部を利用して、リング部材の位置決めを行うことができる。そのため、リング部材の対象物への装着の際の作業時間の増大を抑制することができる。また、リング部材は、ガイド部によって対象物に対する位置ずれが抑制されるので、対象物の姿勢を安定させることができる。なお、「対象物を周回するように巻き付けられ」とは、対象物の上側の部分に対しても巻き付けられるこという。この吊り具システムでは、対象物の上側の部分に対しても、リング部材が巻き付けられるので、リング部材が対象物から離れて自由に動いてしまうことが抑制される。そのため、リング部材を対象物に装着したままとしても、リング部材が邪魔になることが抑制される。
【０００７】
いくつかの態様において、吊り具システムは、対象物の上側でリング部材に係合する係合部材を更に備えていてもよい。これにより、係合部材を介して、ワイヤー等をリング部材に連結することができる。
【０００８】
いくつかの態様において、吊り具システムは、対象物の上側に設けられ、リング部材に係合する係合部材を収容可能であり、対象物の内側に凹む係合部材収容部を更に備えていてもよい。これにより、係合部材収容部に係合部材を配置することで、係合部材の位置決めを容易に行うことができる。また、係合部材の位置ずれが抑制される。係合部材を係合部材収容部に収容することができるので、係合部材の対象物の外側への張り出しを抑えることができる。係合部材が邪魔になることが抑制される。
【０００９】
いくつかの態様において、ガイド部は、対象物の外側に向かって突出する突出部を含み、側壁は、突出部の側壁であってもよい。これにより、突出部の側壁にリング部材を当接させて、リング部材の位置ずれを抑制することができる。
【００１０】
いくつかの態様において、ガイド部は、対象物の内側に凹むガイド溝を含み、側壁は、ガイド溝の側壁であってもよい。これにより、ガイド溝の側壁にリング部材を当接させて、リング部材の位置ずれを抑制することができる。また、ガイド溝にリング部材を収容することができるので、リング部材の対象物の外側への張り出しを抑えることができる。リング部材が邪魔になることが抑制される。
【００１１】
いくつかの態様において、ガイド部は、リング部材の一部を覆うカバー部を含んでもよい。これにより、カバー部にリング部材を当接させて、リング部材の位置ずれを抑制することができる。
【発明の効果】
【００１２】
本開示によれば、対象物を吊る際の作業時間の増大を抑制することができる。
【図面の簡単な説明】
【００１３】
【図１】第１実施形態に係る吊り具システムを対象物の長手方向から示す正面図である。
【図２】吊り具システムの側面図である。
【図３】図３（ａ）は、リング部材を覆うカバー部を示す断面図である。図３（ｂ）は、リング部材の両側に配置されたガイド棒を示す断面図である。図３（ｃ）は、リング部材を収容するガイド溝を示す断面図である。
【図４】第２実施形態に係る吊り具システムを対象物の長手方向から示す正面図である。
【図５】図５（ａ）は、係合部材収容部を示す部分断面図である。図５（ｂ）は、係合部材収容部を示す平面図である。
【図６】図６（ａ）は、第３実施形態に係る吊り具システムを対象物の長手方向から示す正面図である。図６（ｂ）は、第４実施形態に係る吊り具システムを対象物の長手方向から示す正面図である。
【発明を実施するための形態】
【００１４】
以下、本開示の好適な実施形態について、図面を参照しながら詳細に説明する。なお、各図において同一部分又は相当部分には同一の符号を付し、重複する説明は省略する。
【００１５】
図１及び図２に示される吊り具システム１は、長手方向に延在する対象物２を吊す際に用いられる。対象物２は例えば円筒体である。対象物２は、円筒体に限定されず、複数の円筒体を含むものでもよく、長手方向に交差する断面形状が矩形であるものでもよく、その他の形状を含むものでもよい。また、対象物２は、長手方向に沿って直線的な形状のものでもよく、湾曲しているもの、屈曲しているもの、分岐されているものでもよい。
【００１６】
なお、図１及び図２において、直交する３方向（Ｘ方向、Ｙ方向、Ｚ方向）を矢印で図示している。Ｘ方向は対象物２の長手方向に沿う方向である。Ｚ方向は上下方向である。Ｙ方向は、Ｘ方向及びＺ方向に直交する方向である。
【００１７】
吊り具システム１は、一対のリング部材３及びガイド部４を含む。一対のリング部材３は、対象物２の長手方向に離間して配置される。リング部材３は、対象物２を周回するように巻き付けられて、対象物２を保持する。リング部材３は、対象物２の外周面２ａに沿って、対象物２の周方向に配置される。リング部材３は、例えば紐状又は帯状を成している。リング部材３として、例えばナイロンスリングを用いることができる。リング部材３として、例えばワイヤーを用いてもよく、その他の部材を用いてもよい。リング部材３の長さは、例えば対象物２の外周の長さに対応している。
【００１８】
リング部材３は、対象物２の外周面２ａに対して、略全周に亘って接している。外周面２ａの上側の部分（対象物２の中心よりも上側の部分）についても、リング部材３に接している。リング部材３は、後述する係合部材１０が配置された部分を除き、外周面２ａに接している。リング部材３は、無端状のものでもよく、所定の長さを有する部材を対象物２に巻き付けるようにしてリング状を成すものでもよい。リング部材３は、例えば、所定の長さを有する複数のナイロンスリングを連結して構成されるものでもよい。
【００１９】
ガイド部４は、カバー部５及び一対のガイド棒（突出部）６を含む。カバー部５は、リング部材３の長手方向の一部を覆うように配置されている。カバー部５及びガイド棒６は、対象物２の周方向において異なる位置に配置されている。例えば、カバー部５は、上下方向において、対象物２の中心よりも上側に配置され、一対のガイド棒６は、上下方向において、対象物２の中心よりも下側に配置されている。
【００２０】
カバー部５は、図３（ａ）に示されるように、一対の側壁７，８と、一対の側壁７を連結する連結部９と、を含む。一対の側壁７，８は、対象物２の長手方向に離間して配置される。一対の側壁７，８は、リング部材３の両側に配置されている。側壁７，８は板状を成している。側壁７，８の板厚方向は、対象物２の長手方向に沿うように配置されている。側壁７，８の第１端部は、対象物２の外周面２ａに対向して配置されている。側壁７，８は、リング部材３が対象物２の長手方向に移動した際に当接可能である。側壁７，８は、リング部材３の外周面に当接して、リング部材３の移動を抑制できる。側壁７，８の第２端部は、対象物２の径方向において、外周面２ａから離れた位置に配置されている。
【００２１】
連結部９は、例えば一対の側壁７，８の第２端部同士を連結している。連結部９は板状を成している。連結部９の板厚方向は、対象物２の径方向に沿うように配置されている。カバー部５は、例えば金属製の板材をプレス加工することにより成形することができる。カバー部５は、その他の加工方法によって成形することができる。カバー部５は、対象物２の外周面２ａに沿うように周方向に延在し、リング部材３の長手方向の一部を覆うように配置される。
【００２２】
一方の側壁７は、例えばヒンジ部材を介して、対象物２の外周面２ａに取り付けられている。カバー部５は、ヒンジ部材によって揺動可能に対象物２に取り付けられている。対象物２の長手方向において中央側に側壁７が配置され、対象物２の長手方向の端部に近い方に側壁８が配置されている。リング部材３を対象物２に対して装着する際には、カバー部５は開いた状態となり、他方の側壁８が対象物２の外周面２ａから離れた状態となる。側壁８と対象物２の外周面２ａとの間の隙間を通じて、リング部材３を移動させて装着することができる。リング部材３を装着後、カバー部５を閉じることで、側壁８を対象物２の外周面２ａに当接する。これにより、一対の側壁７，８間にリング部材３が配置される。
【００２３】
なお、ヒンジ部材は、その他の位置に設けられていてもよい。例えば、側壁７が対象物２に固定されており、側壁７に対してヒンジ部材を介して連結部９が取り付けられていてもよい。これにより、側壁７に対して、連結部９及び側壁８を揺動させて、開閉することができる。同様に、例えば側壁７及び連結部９が一体的に構成されて対象物２に対して固定されており、連結部９に対してヒンジ部材を介して、側壁８が取り付けられていてもよい。これにより、連結部９に対して側壁８を揺動させて、開閉することができる。また、カバー部５を対象物２に対して着脱可能に取り付けてもよい。この場合にはリング部材３を装着する際に、カバー部５を取り外し、リング部材３を対象物２に装着した後に、カバー部５を対象物２に対して取り付けてもよい。また、連結部９は、リング部材３と交差する断面において、直線的に形成されていてもよく、湾曲していてもよい。
【００２４】
一対のガイド棒６は、図３（ｂ）に示されるように、対象物２の長手方向に離間して配置されている。一対のガイド棒６は、リング部材３の両側に配置されている。ガイド棒６は、対象物２の周方向に沿うように配置されている。ガイド棒６の長手方向に交差する断面形状は、例えば円形となっている。ガイド棒６として、金属製の丸棒を用いることができる。ガイド棒６は、対象物２の外周面２ａに対して例えば溶接等によって取り付けることができる。ガイド棒６は、溶接以外の方法によって対象物２固定されていてもよい。ガイド棒６の外径は、例えばリング部材３の線径に対応している。ガイド棒６の外径は、リング部材３の線径よりも小さくてもよく、大きくてもよい。ガイド棒６の外周面は、リング部材３に当接可能な側壁を構成する。
【００２５】
なお、ガイド棒６の断面形状は円形に限定されず、半円形状でもよく、矩形でもよく、台形状でもよく、その他の形状でもよい。リング部材３が対象物２に装着されている状態において、一対のガイド棒６間に配置されている。ガイド棒６は、例えばリング部材３の両側に配置されているものに限定されず、片側に配置されているものでもよい。例えば、対象物２の長手方向において、中央側のみにガイド棒６が配置されていてもよい。
【００２６】
吊り具システム１は、リング部材３に係合する係合部材１０を備える。係合部材１０は、リング部材３を挿通させる枠体を含む。係合部材１０として、例えばシャックルを用いることができる。シャックルは、例えばＵ字状を成す本体部と、Ｕ字の開放端部間に連結されるボルト部と、を含む。ボルト部はＵ字状の本体部に対して、取り付け、取り外しが可能となっている。係合部材１０は、対象物２の上側に配置される。例えば、シャックルが対象物２に対して配置された状態において、ボルト部は対象物２の外周面２ａ上で、対象物２の長手方向に沿って配置される。例えばＵ字状の本体部の湾曲形状は、上側に凸となるように配置される。係合部材１０は、リング部材３が対象物２に取り付けられた後に、リング部材３に対して取り付けられる。係合部材１０は、リング部材３が対象物２に取り付けられる前に、リング部材３に取り付けられていてもよい。
【００２７】
係合部材１０には、ワイヤー１１が連結される。リング部材３は、係合部材１０及びワイヤー１１を介して、例えばクレーン側の治具（フック）に連結される。なお、係合部材１０を介さずに、ワイヤー１１をリング部材３に連結してもよい。例えば、ワイヤー１１の端部のリング部に、リング部材３を挿通させてもよい。
【００２８】
次に、吊り具システム１を用いて、対象物２を海中（水中）に設置する方法について説明する。まず、対象物２、一対のリング部材３、係合部材１０及びワイヤー１１を準備する。係合部材１０及びワイヤー１１は、リング部材３に対してそれぞれ１セット準備する。
【００２９】
この方法では、例えば地上において、対象物２に対して一対のリング部材３を装着することができる。対象物２は例えば支持台に載せられている。この状態において、作業者は、リング部材３を、対象物２の長手方向の端部２ｂ側から装着する。作業者は、対象物２の長手方向にリング部材３を移動させ、ガイド部４に対応する位置まで移動させる。リング部材３を装着する際には、カバー部５を開けた状態とする。これにより、側壁８と対象物２の外周面２ａとの間の隙間を通過させて、リング部材３を移動させることができる。リング部材３を移動させた後に、カバー部５を閉じる。また、一方のガイド棒６を乗り越えるように、リング部材３を移動する。
【００３０】
リング部材３を対象物２に装着した状態において、リング部材３の一部（第１部分）は、図３（ａ）に示されるように、カバー部５に覆われている。リング部材３の一部（第２部分）は、図３（ｂ）に示されるように、一対のガイド棒６の間に配置されている。また、このとき、リング部材３は、対象物２の周方向の略全周において、対象物２の外周面２ａに接している。
【００３１】
次に、リング部材３に対して、係合部材１０を装着すると共に、係合部材１０に対してワイヤー１１を連結する。そして、リング部材３を対象物２の周方向における最上部に配置する。この状態において、対象物２はリング部材３が装着され、リング部材３は、係合部材１０及びワイヤー１１に連結されている。なお、係合部材１０及びワイヤー１１をリング部材３に連結した後に、リング部材３を対象物２に装着することもできる。
【００３２】
対象物２は、例えばクレーンが設置された運搬船に載置される。対象物２に連結されたワイヤー１１は、クレーンのフックに引っ掛けられる。そして、クレーンを用いて、対象物２を吊り上げて、移動させ、運搬船の所定の位置で降ろされる、これにより、対象物２は運搬船の所定の位置に載置される。対象物２は、運搬船によって、海上の所定の位置まで運搬される。リング部材３は、対象物２に装着した状態で運搬できる。
【００３３】
運搬船が海上の所定の位置に到着した後に、運搬船のクレーンを用いて対象物２を吊り上げて移動させて、対象物２を降下させる。これにより、対象物２を水中に配置することができる。例えば潜水作業員は、水中で係合部材１０及びワイヤー１１をリング部材３から外すことができる。
【００３４】
例えば、対象物２を水中に設置した状態において、リング部材３は対象物２に装着された状態のままでもよい。この状態で対象物２を使用することができる。リング部材３は、対象物２の外周面２ａに密着した状態であり、水流を受けても対象物２から外れないようになっている。リング部材３は、水中において、カバー部５及び一対のガイド棒６によって、移動が拘束される。
【００３５】
対象物２を水中に設置した後に、対象物２を引き上げる際には、再び、吊り具システム１を用いることができる。例えば潜水作業員は、水中に潜り、対象物２に取り付けられているリング部材３に対して、係合部材１０を装着する。係合部材１０には予めワイヤー１１が連結されている。そして、ワイヤー１１をクレーンのフックに引っ掛ける。クレーンの操縦者は、クレーンを作動させて、ワイヤー１１を引き上げることで、対象物２を浮上させて、水面から上方へ移動させる。引き上げられた対象物２は、クレーンによって吊り下げられた状態で移動させられて、運搬船に乗せられる。その後、対象物２は運搬船によって運搬されて、地上に引き上げられる。対象物２を運搬船から地上に移動させる際にも、吊り具システム１を用いて、対象物２を吊り上げることができる。
【００３６】
この吊り具システム１では、一対のリング部材３に対してワイヤー１１を連結して、ワイヤー１１をクレーン（重機）のフックに引っ掛けて、対象物２を吊ることができる。吊り具システム１では、一対のリング部材３を対象物２の長手方向に離間して配置して、対象物２に装着するので、対象物２の長手方向が水平方向となる状態で対象物２を吊ることができる。また、対象物２にガイド部４が設けられているので、このガイド部４を利用して、リング部材３の位置決めを行うことができる。そのため、リング部材３の対象物２への装着の際の作業時間の増大を抑制することができる。また、リング部材３は、ガイド部４によって対象物に対する位置ずれが抑制されるので、対象物２の姿勢を安定させることができる。
【００３７】
リング部材３は、略全周に亘って対象物２の外周面２ａに密着しているので、対象物２に装着した状態のままであっても邪魔にならない。これにより、対象物２を吊っていない状態においても、リング部材３を対象物２に取り付けた状態のまま、対象物２を運搬することができる。同様に、リング部材３を対象物２に取り付けた状態のまま、対象物２を使用することができる。その結果、リング部材３の取り付け、取り外しの回数を抑制することができる。リング部材３の取り付け、取り外しのための作業時間を削減することが可能となる。
【００３８】
また、ガイド部４は、リング部材３の一部を覆うカバー部５を含んでいるので、一対の側壁７，８間に、リング部材３を拘束することができる。これにより、リング部材３の位置がずれても、リング部材３が側壁７，８に当接して、リング部材３の移動が抑制される。また、リング部材３が、例えば、対象物２の外周面２ａから離れる方向に移動しても、カバー部５の連結部９に当接して、リング部材３の移動が抑制される。
【００３９】
また、ガイド部４は、対象物２の外周面２ａから突出する一対のガイド棒６を含んでいるので、一対のガイド棒６間に、リング部材３を拘束することができる。これにより、リング部材３の位置がずれても、リング部材３がガイド棒６の外周面に当接して、リング部材３の移動が抑制される。
【００４０】
このように、ガイド部４によってリング部材３の位置ずれを抑制することができるので、リング部材３を対象物２に装着したまま、海中に設置しても、水流を受けてリング部材３が外れてしまうことが防止される。ガイド部４によってリング部材３の位置ずれが抑制されるので、リング部材３が対象物２に装着された状態が維持される。その結果、リング部材３が外れて、対象物２の使用（運転、移動）等に影響を及ぼすことが抑制される。
【００４１】
吊り具システム１では、リング部材３を装着したまま運搬できるので、例えば、対象物２を海中に設置する場合において、運搬船上での作業時間を削減できる。そのため、運搬船の使用時間の増加を抑制できる。吊り具システム１では、船上での作業時間を抑制できるので、波浪状況が良好なうちに作業を完了できる。そのため、波浪状況の悪化による作業延期を回避でき、計画通りの作業を実現できる。
【００４２】
次に、図３（ｃ）に示されるガイド溝について説明する。吊り具システム１のガイド部４は、カバー部５及びガイド棒６に代えて、ガイド溝１２を備える構成でもよい。ガイド溝１２は、例えば、対象物２の周方向に沿って全周に亘って形成されている。ガイド溝１２は、対象物２の径方向において、外周面２ａから内側に窪む凹部である。ガイド溝１２は、対象物２の長手方向に対向する一対の側壁１３，１４、及び底面１５を含む。側壁１３は、対象物２の長手方向において中央側に配置され、側壁１４は、対象物２の長手方向において、端部側に配置されている。側壁１３，１４は、対象物２の長手方向に交差する面を含む。底面１５は、対象物２の外周面２ａよりも内側に配置された面である。底面１５は、対象物２の長手方向において、側壁１３，１４間に形成されている。
【００４３】
ガイド溝１２の深さは、リング部材３の線径に対応している。リング部材３は、対象物２に装着された状態において、ガイド溝１２内に収容される。リング部材３は、側壁１３，１４間に拘束されるので、リング部材３の位置ずれが抑制される。リング部材３は、側壁１３，１４に当接して、移動が抑制される。リング部材３は、対象物２の外周面２ａよりも内側に配置されるので、対象物２の外周面２ａからの張り出し量を抑制することができる。リング部材３が邪魔にならないので、リング部材３を対象物２に装着したまま、対象物２を使用することもできる。
【００４４】
例えば、対象物２が水中に設置された場合には、リング部材３に対する水流の影響を抑制することができる。例えば、水流により発生する抵抗力等を減少させることができる。この吊り具システム１では、リング部材３が水流によって、対象物２から外れる可能性が低減される。リング部材３が、ガイド溝１２に収容されて、外部への張り出し量が少ないと、例えば水中での使用において、水中で浮遊する他の物体がリング部材３に当たる可能性が少ない。そのため、リング部材３の損傷が抑制される。
【００４５】
ガイド溝１２の長手方向に交差する断面形状は、矩形に限定されず、半円形状でもよく、逆三角形、Ｖ字状、その他の形状でもよい。リング部材３は、部分的にガイド溝１２からはみ出ていてもよい。また、リング部材３が、ガイド溝１２に収容された状態において、ガイド溝１２を覆うカバー部を設けてもよい。
【００４６】
次に、図４に示される第２実施形態に係る吊り具システム２１について説明する。第２実施形態に係る吊り具システム２１が、第１実施形態に係る吊り具システム１と違う点は、係合部材収容部２２を備える点である。第２実施形態の説明において、第１実施形態と同じ説明は省略する。
【００４７】
係合部材収容部２２は、係合部材１０の一部を収容する収容凹部を含む。係合部材収容部２２は、例えば、係合部材１０のうち、リング部材３の下側に配置される部分を収容する。係合部材収容部２２は、例えば、係合部材１０であるシャックルのボルト部及びボルト部が連結される部分を収容する凹部である。係合部材収容部２２は、一対の側壁２３，２４、及び底面２５を含む。側壁２３，２４は、対象物２の周方向に対向している。側壁２３，２４は、図４に示すＹ方向に対向している。底面２５は、対象物２の外周面２ａよりも内側に配置された面である。
【００４８】
このように係合部材収容部２２を備える吊り具システム２１によれば、係合部材１０の一部を収容することができるので、係合部材１０の位置決めを確実に行うことができる。係合部材１０を係合部材収容部２２に配置した状態において、係合部材１０は、対象物２の周方向に対向する側壁２３，２４に当接可能である。これにより、係合部材１０の位置ずれが抑制される。同様に、係合部材１０は、対象物２の長手方向（Ｘ方向）に対向する側壁に当接可能である（例えば図５（ａ）参照）。これにより、係合部材１０の位置ずれが抑制される。また、係合部材１０の位置ずれが抑制されるので、対象物２を安定した姿勢で吊すことができる。
【００４９】
また、対象物２の径方向において、リング部材３と対象物２の外周面２ａとの間に、係合部材１０が配置されず、対象物２の外周面２ａより内側に、係合部材１０の一部が配置される。そのため、リング部材３を対象物２に装着した状態において、リング部材３が略全周に亘って対象物２に接するように配置することができる。リング部材３の局所的な変形が抑制される。
【００５０】
次に、図５に示される係合部材収容部２２及びガイド溝１２について説明する。吊り具システムは、係合部材収容部２２及びガイド溝１２を備えていてもよい。図５（ａ）に示されるように係合部材収容部２２の底面２５は、ガイド溝１２の底面１５よりも深い位置に形成されている。係合部材収容部２２の底面２５は、対象物２の径方向（Ｚ方向）において、ガイド溝１２の底面１５よりも中心側に配置されている。係合部材収容部２２は、対象物２の長手方向に対向する一対の側壁２６，２７を含む。側壁２６は、対象物２の長手方向において中央側（内側）に配置され、側壁２７は、対象物２の長手方向において、端部側（外側）に配置されている。
【００５１】
図５（ｂ）に示されるように、係合部材収容部２２は、平面視において、ガイド溝１２に対して交差するように配置されている。ガイド溝１２は、係合部材収容部２２の側壁２３，２４を貫通するように形成されている。なお、図５（ｂ）では、リング部材３及び係合部材１０の図示を省略している。
【００５２】
このような吊り具システムでは、係合部材収容部２２の側壁２３，２４によって、対象物２の周方向における係合部材１０の位置を拘束することができる。この吊り具システムでは、係合部材収容部２２の側壁２６，２７によって、対象物２の長手方向における係合部材１０の位置を拘束することができる。この吊り具システムでは、ガイド溝１２によって、対象物２の長手方向におけるリング部材３の位置を拘束することができる。この吊り具システムでは、リング部材３及び係合部材１０の対象物２に対する位置ずれを抑制することができる。
【００５３】
吊り具システムでは、リング部材３をガイド溝１２内に収容し、係合部材１０を係合部材収容部２２に収容することができるので、対象物２を設置した後もそのまま対象物２に装着した状態としてもよい。リング部材３及び係合部材１０が邪魔にならず、対象物２の使用に影響を与えないようにすることができる。また、対象物２を撤去したり、一時的に取り外したりする際に、リング部材３を再利用することができ、リング部材３を装着するための作業時間を削減できる。
【００５４】
次に、図６（ａ）に示される第３実施形態に係る吊り具システム３１について説明する。第３実施形態の説明において、上記実施形態と同じ説明は省略する。吊り具システム３１では、複数の円筒体２，３２を備える対象物を吊ることができる。対象物は、一対の円筒体２を備える。一対の円筒体２は、Ｙ方向に離間して配置されている。一対の円筒体２は、Ｙ方向に延在する強度部材３３によって連結されている。
【００５５】
円筒体３２は、Ｙ方向における一対の円筒体２間で、一対の円筒体２より上方に配置されている。円筒体３２は、Ｚ方向において、一対の円筒体２とは異なる位置に配置されている。円筒体３２は、強度部材３３からＺ方向に延びる一対の支持片３４によって連結されている。一対の支持片３４は、円筒体３２のＹ方向の両側から強度部材３３に向かって延びている。複数の円筒体２，３２は、強度部材３３及び支持片３４によって連結されている。これらの円筒体２，３２、強度部材３３及び支持片３４は、例えば溶接によって接合されている。
【００５６】
リング部材３は、３本の円筒体２，３２を一体として周回するように巻き付けられている。リング部材３は、円筒体２の外周面のうち、円筒体３２とは反対側の部分に当接している。リング部材３は、円筒体３２の外周面のうち、円筒体２とは反対側の部分に当接している。例えば、リング部材３は、円筒体３２の上側の外周面の部分に当接している。リング部材３は、左側の円筒体２の左側及び下側の外周面の部分に当接している。リング部材３は、右側の円筒体２の右側及び下側の外周面の部分に当接している。
【００５７】
円筒体２，３２の外周面には、ガイド部４が設けられている。ガイド部４は、リング部材３の配置に対応して設けられている。円筒体３２の上側の部分には、ガイド部４として、カバー部５が配置されている。左側の円筒体２の左側の部分には、ガイド部４として、カバー部５及びガイド棒６が設けられている。右側の円筒体２の右側の部分には、ガイド部４として、カバー部５及びガイド棒６が設けられている。カバー部５は、円筒体２の中心よりも上側に配置され、ガイド棒６は、円筒体２の中心よりも下側に配置されている。図６（ａ）では、図示を省略しているが、係合部材１０は円筒体３２の上側の部分に配置されている。
【００５８】
このような吊り具システム３１を用いることで、複数の円筒体２，３２を備える対象物を吊ることができる。
【００５９】
次に、図６（ｂ）に示される第４実施形態に係る吊り具システム３５について説明する。第３実施形態の説明において、上記実施形態と同じ説明は省略する。ここでは、対象物が一対の円筒体２である場合について説明する。リング部材３は、一対の円筒体２を一体として周回するように巻き付けられている。リング部材３は、一方の円筒体２の外周面のうち、他方の円筒体２とは反対側の部分に当接している。ガイド部４は、リング部材３の配置に対応して設けられている。ガイド部４は、円筒体２の外周面のうち、リング部材３が当接する領域に設けられている。図６（ｂ）では、図示を省略しているが、係合部材１０は、例えば一対の円筒体２の最上部にそれぞれ配置されている。係合部材１０は、例えば一対の円筒体２の中間に配置されていてもよい。なお、リング部材３は、図１に示されるように、円筒体２の外周面の略全周に接するように装着されるものでもよい。
【００６０】
また、対象物は、一対の円筒体（第１円筒体）２の間で、円筒体２よりも外径が小さい他の円筒体（第２円筒体）を備えていてもよい。この構成の場合には、中央に配置された第２円筒体から両側に延びる強度部材３３を備え、この強度部材３３によって、中央の第２円筒体と両側の一対の第１円筒体とが連結されている。このような対象物に対して吊り具システム３１を用い、対象物を吊ることができる。
【００６１】
本開示は、前述した実施形態に限定されず、本開示の要旨を逸脱しない範囲で下記のような種々の変形が可能である。
【００６２】
上記の実施形態では、リング部材３に対して係合部材１０を介して、ワイヤー１１を連結しているが、係合部材１０を介さずに、ワイヤー１１をリング部材３に連結してもよい。
【００６３】
ガイド溝１２は、対象物２の周方向において全周に設けられているものでもよく、部分的に設けられていてもよい。また、ガイド溝１２は、リング部材３の長手方向に交差する断面において、全部を収容するものでもよく、部分的に収容するものでもよい。また、ガイド溝１２は、対象物２の径方向において、外周面２ａよりも外側に配置されている構成でもよい。
【００６４】
係合部材収容部２２は、図４及び図５（ａ）に示されるように、下側部分のみ収容するものでもよく、下側から上側の部分まで略全部を収容するものでもよい。
【００６５】
吊り具システムにおいて、対象物２を設置する際に使用したリング部材３は、その後も装着した状態として、対象物２を再度吊り上げる際に再利用してもよく、対象物２を設置した後に、リング部材３を取り外し、対象物２を再度吊り上げる際に、リング部材３を装着し直してもよい。
【００６６】
吊り具システムは、例えば工場等において装置の製造時に対象物２を吊して使用することができる。例えば、吊り具システムを用いて吊された対象物２に対して、他の部品を組み付けることができる。
【符号の説明】
【００６７】
１、２１、３１、３５  吊り具システム
２、３２  対象物、円筒体
３  リング部材
４  ガイド部
５  カバー部
６  ガイド棒（突出部）
７、８  側壁
１０  係合部材
１２  ガイド溝
１３、１４  側壁
２２  係合部材収容部。
【図１】
2019189400.tif 000003
【図２】
2019189400.tif 000004
【図３】
2019189400.tif 000005
【図４】
2019189400.tif 000006
【図５】
2019189400.tif 000007
【図６】
2019189400.tif 000008